(57)【要約】【課題】タンクへの取付けが容易でありながら取付け後は抜け難いポンプ装置の取付構造を提供すること。【解決手段】略円筒形状に形成されたグロメット３０の本体部３１には、タンク内挿入部３５の内周面に径方向内側に向かって突出する内部突起３６を形成した。そして、タンク内側端部３１ａが、ポンプ装置の挿入に伴い、そのハウジングの外周面に前記内部突起３６が押圧され押し広げられることにより、当該タンク内側端部３１ａを含む本体部３１のタンク内挿入部３５が、径方向外側に向かって拡開する。【選択図】  図５
2004203262.tif 000002
【特許請求の範囲】
【請求項１】
タンクの側壁に形成された取付孔に弾性材料からなる筒状のグロメットを挿入し、前記タンク内の液体を外部に圧送するポンプ装置の少なくともその吸入口が前記タンクの内側に配置されるよう前記グロメットの筒内に前記ポンプ装置の一部を挿入することにより前記取付孔に取り付けられるポンプ装置の取付構造であって、
前記グロメットは、
前記タンクの内部に位置するタンク内挿入部の内周面に該グロメットの径方向内側に向かって突出する内部突起を備え、
挿入された前記ポンプ装置に該内部突起が押圧されることにより、前記タンク内挿入部が前記グロメットの径方向外側に拡開すること、
を特徴とするポンプ装置の取付構造。
【請求項２】
請求項１に記載のポンプ装置の取付構造において、
前記ポンプ装置は、略柱状をなし、その軸線方向に沿って前記グロメットの筒内に挿入され、
前記グロメットは、取り付けられた前記ポンプ装置の外周面に突出して形成された抜止部に対応して前記内部突起が位置するよう形成されること、
を特徴とするポンプ装置の取付構造。
【請求項３】
請求項１又は請求項２に記載のポンプ装置の取付構造において、
前記タンク内挿入部の端部外周面には、前記グロメットの挿入方向に向かって縮径する第１のテーパ面が形成されること、を特徴とするポンプ装置の取付構造。
【請求項４】
請求項１〜請求項３のうちの何れか一項に記載のポンプ装置の取付構造において、
前記内部突起の筒内側の側面は、前記挿入方向と逆方向に向かって拡径する第２のテーパ面を形成すること、を特徴とするポンプ装置の取付構造。
【請求項５】
弾性材料からなり液体が貯留されるタンクの側壁に形成された取付孔に挿入され、挿入体が挿入されることにより該挿入体を前記取付孔に保持する略筒状のグロメットであって、
前記取付孔に挿入されるタンク内挿入部の内周面に径方向内側に向かって突出する内部突起を備え、
挿入された前記挿入体に該内部突起が押圧されることにより、前記タンク内挿入部が径方向外側に拡開すること、を特徴とするグロメット。
【請求項６】
請求項５に記載のグロメットにおいて、
前記タンク内挿入部の端部外周面には、挿入方向に向かって縮径する第１のテーパ面が形成されること、を特徴とするグロメット。
【請求項７】
請求項５又は請求項６に記載のグロメットにおいて、
前記内部突起の筒内側の側面は、前記挿入方向と逆方向に向かって拡径する第２のテーパ面を形成することを特徴とするグロメット。
【発明の詳細な説明】
【０００１】
【発明の属する技術分野】
本発明は、ポンプ装置の取付構造及びグロメットに関するものである。
【０００２】
【従来の技術】
ウォッシャ装置は、車両等のウィンドシールドに洗浄液を吹き付けるための装置であり、タンク内の洗浄液を当該タンクに取り付けられたポンプ装置によりウォッシャノズルへ圧送する。
【０００３】
図６は、従来のポンプ装置の取付構造を示すウォッシャ装置の部分断面図であり、図７は、ポンプ装置の取付部分近傍の拡大断面図である。
図６に示すように、ウォッシャ装置１は、タンク２とポンプ装置３とから構成され、ポンプ装置３は、タンク２の側壁２ａに形成された取付孔４に取り付けられる。
【０００４】
この従来例では、ウォッシャ装置１は、所謂インタンク取付構造を採用しており、ポンプ装置３は、略円筒形状をなすそのハウジング３ａの軸線方向に沿って前記取付孔４に挿入され、当該ハウジング３ａの一部がタンク２内に配置されるよう取付孔４に取り付けられている。
【０００５】
ポンプ装置３と取付孔４との間には、液漏れを防止（シール）するためにゴム製のグロメット５が配設されており、ポンプ装置３は、取付孔４にタンク２の外側から当該グロメット５を装着した後、当該グロメット５内部に嵌入される。即ち、ポンプ装置３は、グロメット５を介して取付孔４に取り付けられており、グロメット５には、上述のシール機能とともに、ポンプ装置３を取付孔４に保持する機能が求められる。
【０００６】
例えば、ポンプ装置３の給電端子６に外部電源端子を接続する際には、当該給電端子６に略下向きの接続荷重が加わり、ポンプ装置３は、取付孔４の下側内周面を支点として当該ポンプ装置３が取付孔４からタンク２外側に脱落する方向（図中時計回り方向）に回動しようとする。
【０００７】
特に、グロメット５と取付孔４とは、取付孔４内周面の僅かな接触面にて保持されているため、ポンプ装置３に上記のような外力が加わると、ポンプ装置３は、グロメット５ごとタンク２外側に脱落するおそれがある。
【０００８】
尚、図８及び図９に示すような所謂抱きかえ取付構造を採用するウォッシャ装置８の場合には、ポンプ装置９は、タンク１０に形成された当該ポンプ装置９を取付けるための凹部１１に挟持され、そのインレット１２のみがグロメット１３を介して凹部１１に形成された取付孔１４に取り付けられる。しかし、このような抱きかえ取付構造を採用するウォッシャ装置８においても、グロメット１３には、ポンプ装置９の保持を支援し、外力による取付孔１４からのインレット１２の脱落を防止する機能が求められることに変わりはない。
【０００９】
従来、上記のようなポンプ装置３の脱落を防止するため、図７に示すように、グロメット５には、その両端部の外周面に、それぞれ当該外周面から径方向外側に突設されたフランジ状のグロメットガイド１５及びグロメットストッパ１６を備えている。
【００１０】
グロメットガイド１５は、タンク２外部側の端部に形成され、そのタンク側側面１５ａが取付孔４の外側周縁部４ａに当接し、その外部側側面１５ｂがポンプ装置３のストッパ１７と当接することにより、タンク２内部へのポンプ装置３の挿入量を規制している。
【００１１】
そして、グロメットストッパ１６は、ポンプ装置３に当該ポンプ装置３をタンク２外側に脱落させる方向の外力が加わった場合に、そのタンク側側面１６ａが取付孔４の内側周縁部４ｂに引っ掛かることによりグロメット５及びポンプ装置３のタンク２外側への脱落を防止している（例えば、特許文献１参照）。
【００１２】
【特許文献１】
特許第２６８６３６９号公報（第２図）
【００１３】
【発明が解決しようとする課題】
しかし、グロメットストッパ１６は、そもそも取付孔４よりも大径に形成することで取付孔４からの脱落を防止するものであり、このことは同時にグロメット５の取付孔４への装着をも妨げるものである。つまり、取付孔４へのグロメット５の装着時にも、グロメットストッパ１６が取付孔４の外側周縁部４ａに引っ掛かるため装着し難いという問題がある。
【００１４】
本発明は、上記問題を解決するためになされたものであって、その目的は、タンクへの取付けが容易でありながら取付け後は抜け難いポンプ装置の取付構造及びグロメットを提供することにある。
【００１５】
【課題を解決するための手段】
上記問題点を解決するために、請求項１に記載の発明は、タンクの側壁に形成された取付孔に弾性材料からなる筒状のグロメットを挿入し、前記タンク内の液体を外部に圧送するポンプ装置の少なくともその吸入口が前記タンクの内側に配置されるよう前記グロメットの筒内に前記ポンプ装置の一部を挿入することにより前記取付孔に取り付けられるポンプ装置の取付構造であって、前記グロメットは、前記タンクの内部に位置するタンク内挿入部の内周面に該グロメットの径方向内側に向かって突出する内部突起を備え、挿入された前記ポンプ装置に該内部突起が押圧されることにより、前記タンク内挿入部が前記グロメットの径方向外側に拡開すること、を要旨とする。
【００１６】
また、請求項２に記載の発明は、前記ポンプ装置は、略柱状をなし、その軸線方向に沿って前記グロメットの筒内に挿入され、前記グロメットは、取り付けられた前記ポンプ装置の外周面に突出して形成された抜止部に対応して前記内部突起が位置するよう形成されること、を要旨とする。
【００１７】
また、請求項３に記載の発明は、前記タンク内挿入部の端部外周面には、前記グロメットの挿入方向に向かって縮径する第１のテーパ面が形成されること、を要旨とする。
【００１８】
また、請求項４に記載の発明は、前記内部突起の筒内側の側面は、前記挿入方向と逆方向に向かって拡径する第２のテーパ面を形成すること、を要旨とする。
請求項５に記載の発明は、弾性材料からなり液体が貯留されるタンクの側壁に形成された取付孔に挿入され、挿入体が挿入されることにより該挿入体を前記取付孔に保持する略筒状のグロメットであって、前記取付孔に挿入されるタンク内挿入部の内周面に径方向内側に向かって突出する内部突起を備え、挿入された前記挿入体に該内部突起が押圧されることにより、前記タンク内挿入部が径方向外側に拡開すること、を要旨とする。
【００１９】
また、請求項６に記載の発明は、前記タンク内挿入部の端部外周面には、挿入方向に向かって縮径する第１のテーパ面が形成されること、を要旨とする。
また、請求項７に記載の発明は、前記内部突起の筒内側の側面は、前記挿入方向と逆方向に向かって拡径する第２のテーパ面を形成することを要旨とする。
【００２０】
（作用）
請求項１に記載の発明によれば、ポンプ装置に当該ポンプ装置をタンクの外側に脱落させる方向の外力が加わった場合にも、拡開したタンク内挿入部が、取付孔の内側の周縁部に引っ掛かるのでポンプ装置及びグロメットの脱落が防止される。
【００２１】
さらに、グロメットのタンク内挿入部の外周面には、従来のグロメットのようにグロメットストッパ等の突起物がないので、取付孔へのグロメットの装着が容易になる。
【００２２】
また、請求項２に記載の発明によれば、ポンプ装置に当該ポンプ装置をタンクの外側に脱落させる方向の外力が加わった場合には、抜止部が内部突起に食い込むので、ポンプ装置が抜け落ちない。従って、ポンプ装置を確実に取り付けることができる。
【００２３】
また、請求項３に記載の発明によれば、取付孔へのグロメットの装着が容易になるので、ポンプ装置取付の作業効率が向上する。
また、請求項４に記載の発明によれば、グロメットの内周面と内部突起との間に段差がないので、ポンプ装置の挿入が容易になり、タンク内挿入部もスムーズに拡開する。その結果、さらにポンプ装置の取り付けが容易になる。
【００２４】
請求項５に記載の発明によれば、挿入体に当該挿入体をタンクの外側に脱落させる方向の外力が加わった場合にも、拡開したタンク内挿入部が、取付孔の内側の周縁部に引っ掛かるので挿入体及びグロメットの脱落が防止される。
【００２５】
さらに、グロメットのタンク内挿入部の外周面には、従来のグロメットのようにグロメットストッパ等の突起物がないので、取付孔へのグロメットの装着が容易になる。
【００２６】
また、請求項６に記載の発明によれば、取付孔へのグロメットの装着が容易になる。
また、請求項７に記載の発明によれば、グロメットの内周面と内部突起との間に段差がないので、挿入体の挿入が容易になり、タンク内挿入部もスムーズに拡開する。
【００２７】
【発明の実施の形態】
以下、本発明を具体化した一実施の形態を図１〜図５に従って説明する。
図１に示すように、ウォッシャ装置２１は、液体の洗浄液を貯蔵するタンク２２と、当該タンク２２内の洗浄液をウォッシャノズル（図示せず）へ圧送するポンプ装置２３とを備え、ポンプ装置２３は、タンク２２の底部近傍の側壁２２ａに取り付けられている。
【００２８】
図２に示すように、側壁２２ａには、取付孔２４が形成されており、ポンプ装置２３は、略円柱形状をなし、ハウジング２３ａの軸線方向に沿って前記取付孔２４に挿入され、当該ハウジング２３ａの一部がタンク２２内に配置されるよう取付孔２４に取り付けられている。そして、ポンプ装置２３は、ハウジング２３ａ内に収容された電動モータ（図示せず）を動力源として、タンク２２内に配置される側の端部に設けられた吸入口２５からタンク２２内の洗浄液を吸入しタンク２２の外に配置される側の端部近傍の吐出口２６からウォッシャノズルへと圧送する。
【００２９】
図３に示すように、ポンプ装置２３と取付孔２４との間には、弾性材料としてのゴム材により形成されたグロメット３０が配設されている。そして、グロメット３０は、ハウジング２３ａの外周面と取付孔２４の内周面との間をシールするとともに、ポンプ装置２３を取付孔２４に保持している。尚、グロメット３０の素材である弾性材料は、エラストマー材（ゴム状弾性ポリマ）等を用いてもよい。
【００３０】
以下に、ポンプ装置２３の取付構造について詳述する。
取付孔２４へのポンプ装置２３の取り付けは、取付孔２４にグロメット３０を装着した後、タンク２２の外側から当該グロメット３０内にポンプ装置２３を挿入することにより行われる。
【００３１】
図４（ａ）は、グロメット３０の側面図、図４（ｂ）は、同じくグロメット３０の断面図である。
図４（ａ）及び（ｂ）に示すように、グロメット３０の本体部３１は略円筒形状をなしており、図２及び図５に示すように、当該本体部３１の外径は、取付孔２４の内径と略同一（取付孔２４の内径よりも若干大きい）に形成されている。また、本体部３１の内径ｒ０は、ハウジング２３ａの外径、即ちポンプ装置２３の外径Ｒ（図２参照）と略同一（詳しくは、ポンプ装置２３の外径Ｒよりも若干小さい）となるよう形成されている。
【００３２】
図４（ａ）及び（ｂ）に示すように、本体部３１の一端（図中右側）には、その外周面から径方向外側に突設されたフランジ状のグロメットガイド３２が形成されている。また、本体部３１の他端の外周面には、当該端部近傍から端部先端に向かって徐々に外径が小さくなる、即ち縮径する第１テーパ面３３が形成されている。そして、本体部３１の外周面、グロメットガイド３２近傍には、断面山型をなすリング状のグロメットリブ３４が形成されている。本実施形態では、２本のグロメットリブ３４が、並列して全周に設けられている。
【００３３】
図５に示すように、グロメット３０は、本体部３１の第１テーパ面３３が形成された側の端部から取付孔２４に挿入され、当該端部はタンク２２の内側に配置される。尚、以下、説明のため、本体部３１の第１テーパ面３３が形成された側の端部をタンク内側端部３１ａとし、グロメットガイド３２が形成された側の端部をタンク外側端部３１ｂとする。そして、タンク内側端部３１ａを含み取付孔２４に挿入される部分をタンク内挿入部３５とする。
【００３４】
先述のようにグロメット３０の本体部３１の外径は取付孔２４の内径と略同一であるが（図２参照）、タンク内挿入部３５の端部外周面には前記第１テーパ面３３が形成されており、挿入側となるタンク内側端部３１ａの外径は取付孔２４の内径よりも小さいため、取付孔２４への挿入は容易である。
【００３５】
そして、グロメットガイド３２のタンク側側面３２ａが取付孔２４の外側周縁部２４ａと当接することにより、グロメット３０の挿入量が規制され、グロメット３０は取付孔２４に装着される。
【００３６】
グロメットリブ３４は、このグロメット３０が取付孔２４に装着された状態において、取付孔２４の内周面と対応する位置に形成されており、当該取付孔２４の内周面に圧縮され弾性変形することにより、取付孔２４の内周面と密着し、グロメット３０のシール性能を高めている。
【００３７】
図４（ｂ）に示すように、グロメット３０の本体部３１には、タンク内挿入部３５の内周面に内部突起３６が形成されている。本実施形態では、内部突起３６は、タンク内側端部３１ａの内周面に形成されている。内部突起３６は、周方向に沿ってリング状に形成され、当該内周面から径方向内側に向かって突設されている。そして、内部突起３６の先端部３６ａ間の距離、即ち内部突起３６が形成された部分のグロメット３０の内径ｒ１は、本体部３１の内径ｒ０よりも短くなっている。従って、内部突起３６が形成された部分のグロメット３０の内径ｒ１は、ハウジング２３ａの外径、即ちポンプ装置２３の外径Ｒよりも小さくなっている。
【００３８】
図５に示すように、グロメット３０は、内部突起３６の本体部３１の内部側、即ち筒内側の端部からグロメットガイド３２のタンク側側面３２ａまでの軸線方向の長さｌ１がタンク２２の側壁２２ａの肉厚ｄ０より長くなるように形成されている。
【００３９】
内部突起３６の筒内側の側面は、前記タンク外側端部３１ｂ側に向かって徐々に拡径する第２テーパ面３６ｂを形成しており、当該第２テーパ面３６ｂの一端は本体部３１の内周面（図中右側）と連接している。つまり、視点をかえると、第２テーパ面３６ｂが形成された部分のグロメット３０の内径は、タンク２２の外側から内側、即ちポンプ装置２３の挿入方向（図５中左側方向）に向かって徐々に縮径している。そして、タンク外側端部３１ｂの内周面にも当該タンク外側端部３１ｂ近傍からその先端に向かって徐々に拡径するテーパ面３７が形成されている。
【００４０】
次に、図２及び図３に示すように、タンク２２の外側からグロメット３０の筒内、即ち本体部３１の内部に挿入体としてのポンプ装置２３を挿入する。本実施形態では、ポンプ装置２３は、そのハウジング２３ａの軸線方向、前記吸入口２５側の端部からグロメット３０の筒内に挿入される。
【００４１】
先述のように、本体部３１の内径ｒ０は、ハウジング２３ａの外径Ｒと略同一であるが、被挿入部であるタンク外側端部３１ｂの内周面には前記テーパ面３７が形成されており、タンク外側端部３１ｂ先端の内径はハウジング２３ａの外径Ｒよりも大きいため、ポンプ装置２３の挿入は容易である。
【００４２】
ポンプ装置２３をグロメット３０の筒内に挿入すると、ポンプ装置２３の吸入口２５側の端部が、タンク内側端部３１ａの内周面に形成された内部突起３６と当接する。
【００４３】
そして、さらにポンプ装置２３を挿入すると、内部突起３６がポンプ装置２３のハウジング２３ａの外周面に押圧されることにより、タンク内挿入部３５が、押し広げられるように弾性変形し、径方向外側に向かって楔状に拡開する。詳しくは、タンク内挿入部３５は、前記取付孔２４の内側周縁部２４ｂ近傍から径方向外側に向かって拡開する。
【００４４】
このとき、内部突起３６は、タンク２２の内部に位置しており、内部突起３６とグロメットガイド３２のタンク側側面３２ａまでの長さｌ１がタンク２２の側壁２２ａの肉厚ｄ０よりも大きく設定されている。そのため、内部突起３６が押圧されることによるタンク内挿入部３５の径方向外側への弾性変形がタンク２２の内周面によって妨げられることがない。
【００４５】
つまり、タンク内挿入部３５の拡開量は、タンク内側端部３１ａがその内部突起３６によってポンプ装置２３に押し広げられる量、即ち内部突起３６の本体部３１の内周面からの突出量によって決定される。そして、当該内部突起３６の突出量は、タンク内挿入部３５が拡開した場合において、タンク内側端部３１ａ又はその近傍の外径が少なくとも取付孔２４の内径よりも大きくなるように設定されている。
【００４６】
また、内部突起３６の筒内側の側面は、前記第２テーパ面３６ｂを形成しているため、本体部３１の内周面と内部突起３６との間には段差がない。従って、ポンプ装置２３は容易に挿入可能であり、当該ポンプ装置２３の挿入に伴う上記タンク内挿入部３５の拡開をスムーズに行うことができる。
【００４７】
図３に示すように、続いてさらにポンプ装置２３をグロメット３０の筒内に挿入すると、ポンプ装置２３のハウジング２３ａの外周面に形成された抜止部としてのポンプ突起４１がグロメット３０の内部突起３６に当接する。ポンプ突起４１はポンプ装置２３の上面（図３中上側）に突設され、その上面には挿入方向の逆方向に徐々に拡開するテーパ面４１ａが形成されている。そのため、ポンプ装置２３がさらに挿入されると、内部突起３６が当該テーパ面４１ａに押し広げられ、タンク内挿入部３５がさらに拡開する。
【００４８】
また、ポンプ装置２３のハウジング２３ａの外周面、ポンプ突起４１よりも前記吐出口２６側には、当該外周面から径方向外側に突設されたフランジ状のハウジングストッパ４２が形成されている。そして、ポンプ装置２３がさらに挿入され、図３に示すように、当該ハウジングストッパ４２が、グロメットガイド３２の外部側側面３２ｂと当接することにより、ポンプ装置２３は、その挿入が規制される。そして、これにより、ポンプ装置２３は所定の位置に位置決めされ、取付孔２４に保持される。
【００４９】
尚、グロメット３０は、上記のようにポンプ装置２３が位置決めされた状態、即ちポンプ装置２３が完全に挿入され取り付けられた状態において、前記内部突起３６（詳しくはその先端部３６ａ）が、ポンプ装置２３のポンプ突起４１に当接するように、当該ポンプ突起４１に対応して成形されている。
【００５０】
そして、ポンプ装置２３をタンク２２の外側に脱落させる方向の外力（図３中右方向）が当該ポンプ装置２３に加わった場合には、径方向外側に向かって拡開したタンク内挿入部３５の一部、少なくともタンク内側端部３１ａが、取付孔２４の内側周縁部２４ｂに引っ掛かることより、ポンプ装置２３の脱落が防止される。
【００５１】
尚、ポンプ装置２３のハウジング２３ａの外周面、ポンプ突起４１とハウジングストッパ４２との間には、断面山型をなすリング状のハウジングリブ４３が形成されており、当該ハウジングリブ４３が本体部３１の内周面に食い込むことにより、当該内周面とハウジング２３ａの外周面との間をシールしている。
【００５２】
次に、上記詳述した本実施の形態の特徴的な作用効果を以下に記載する。
（１）略円筒形状に形成されたグロメット３０の本体部３１には、タンク内挿入部３５の内周面に径方向内側に向かって突出する内部突起３６を形成した。そして、タンク内側端部３１ａが、ポンプ装置２３の挿入に伴い、そのハウジング２３ａの外周面に前記内部突起３６が押圧され押し広げられることにより、当該タンク内側端部３１ａを含む本体部３１のタンク内挿入部３５が、径方向外側に向かって拡開する。
【００５３】
従って、ポンプ装置２３に当該ポンプ装置２３をタンク２２の外側に脱落させる方向の外力が加わった場合にも、当該径方向外側に向かって拡開したタンク内挿入部３５の一部、少なくともタンク内側端部３１ａが、取付孔２４の内側周縁部２４ｂに引っ掛かるのでポンプ装置２３及びグロメット３０が脱落しない。
【００５４】
また、グロメット３０の取付孔２４へ挿入される部分の外周面には、従来のグロメットのようにグロメットストッパ等の突起物がないので、容易にグロメット３０を装着することができる。
【００５５】
さらに、タンク２２の側壁２２ａの肉厚ｄ０が薄い場合であり、当該側壁２２ａと干渉するグロメットストッパがない場合であっても、タンク内挿入部３５は、前記取付孔２４の内側周縁部２４ｂ近傍から径方向外側に向かって拡開する。その結果、ポンプ装置２３を容易に取付けることができ、しかも取付けられたポンプ装置２３は容易に抜けないよう取付けできる。
【００５６】
（２）ポンプ装置２３が完全に挿入され取り付けられた状態において、グロメット３０の内部突起３６が、ポンプ装置２３のポンプ突起４１に当接するよう、当該ポンプ突起４１に対応してグロメット３０を成形した。
【００５７】
これにより、ポンプ装置２３に当該ポンプ装置２３をタンク２２の外側に脱落させる方向の外力が加わった場合には、ポンプ突起４１がグロメット３０の内部突起３６に食い込むので、ポンプ装置２３の抜け落ち防止できる。従って、ポンプ装置２３を確実に保持することができる。
【００５８】
（３）タンク内挿入部３５の端部外周面には、当該端部近傍から端部先端、即ち挿入方向に向かって徐々に外径が小さくなる第１テーパ面３３を形成した。
このような構成とすれば、挿入側端部であるタンク内側端部３１ａ先端の外径は、取付孔２４の内径よりも小さいので、取付孔２４へのグロメット３０の装着が容易になる。従って、より容易にポンプ装置２３を取り付けることができる。
【００５９】
（４）内部突起３６の筒内側の側面は、タンク外側端部３１ｂ方向に向かって徐々に拡径する第２テーパ面３６ｂを形成する。
即ち、内部突起３６の筒内側の側面を第２テーパ面３６ｂとしたので、本体部３１の内周面と内部突起３６との間には段差がない。従って、ポンプ装置２３の挿入が容易になり、タンク内挿入部３５もスムーズに拡開する。その結果、さらに容易にポンプ装置２３を取り付けることができる。
【００６０】
なお、上記実施形態は以下のように変更してもよい。
・本実施形態では、内部突起３６は、タンク内側端部３１ａの内周面周方向に沿ってリング状に形成したが、複数の突起を配置してもよく、タンク内挿入部３５の内周面に間隔をあけて複数設けてもよい。
【００６１】
このような構成とすれば、タンク内挿入部３５がより容易に弾性変形するので、ポンプ装置２３の挿入が容易になる。
・また、本体部３１自体について、そのタンク内挿入部３５の内径が徐々に縮径するように形成してもよい。
【００６２】
・本実施形態では、内部突起３６の筒内側の側面が、タンク外側端部３１ｂ方向に向かって徐々に拡径する第２テーパ面３６ｂを形成したが、当該側面は、テーパ状に形成しなくてもよい。
【００６３】
・本実施形態では、ポンプ装置２３は、好ましい例としてインタンク取り付け構造としたが、図８及び図９に示すような所謂抱きかかえ取付構造のポンプ装置９を用いて具体化してもよい。
【００６４】
・本実施形態において、ハウジング２３ａは、略有底筒形状に形成されることとしたが、円筒でもよく、角筒でも良い。また、その他の形状であってもよい。
・本実施形態では、内部突起３６は、グロメット３０のタンク内側端部３１ａに設けたが、これは端部に限定するものではなく、グロメット３０の本体部３１の内周面でタンク２２の内部に位置する部位であればよい。
【００６５】
【発明の効果】
以上、詳述したように、本発明によれば、タンクへの取付けが容易でありながら取付け後は抜け難いポンプ装置の取付構造及びグロメットを提供することができる。
【図面の簡単な説明】
【図１】ウォッシャ装置の外観図。
【図２】ポンプ装置の取付部分近傍のウォッシャ装置の部分断面図。
【図３】ポンプ装置の取付部分近傍の拡大断面図。
【図４】（ａ）グロメットの側面図、（ｂ）グロメットの断面図。
【図５】グロメットが装着された取付孔近傍の拡大断面図
【図６】従来のポンプ装置の取付部分近傍のウォッシャ装置の部分断面図。
【図７】ポンプ装置の取付部分近傍の拡大断面図。
【図８】抱き抱え取付構造を採用するウォッシャ装置の外観図。
【図９】抱き抱え取付構造を採用するウォッシャ装置におけるポンプ装置の取付部分近傍の部分断面図。
【符号の説明】
２２…タンク、２２ａ…側壁、２３…ポンプ装置、２４…取付孔、２５…吸入口、３０…グロメット、３１…本体部、３１ａ…タンク内側端部、３３…第１テーパ面、３５…タンク内挿入部、３６…内部突起、３６ｂ…第２テーパ面、４１…ポンプ突起。
【図１】
2004203262.tif 000003
【図２】
2004203262.tif 000004
【図３】
2004203262.tif 000005
【図４】
2004203262.tif 000006
【図５】
2004203262.tif 000007
【図６】
2004203262.tif 000008
【図７】
2004203262.tif 000009
【図８】
2004203262.tif 000010
【図９】
2004203262.tif 000011